(57)【特許請求の範囲】
【請求項１】
軸方向の両端縁が開口した筒状に形成され、かつ、外周面に長尺体が巻回可能に構成された軸芯部材に対して、取り付けられるデータキャリアであって、
基材シートと、
当該基材シートの一方の面に積層された接着剤層と、
前記基材シート及び接着剤層の少なくともいずれか一方に支持されるとともに、所定の情報を記録及び読み出しの少なくともいずれか一方が可能なデータキャリア本体とを備え、
前記基材シートは、前記軸芯部材の両端縁の各端面の外縁の一部に沿うとともに、一端と他端とを有する被着体類似縁と、前記被着体類似縁の一端と他端とを繋ぐとともに、前記軸芯部材に嵌挿される支持軸が挿通可能な逃げ縁とを有していることを特徴とするデータキャリア。
【請求項２】
軸方向の両端縁が開口した筒状に形成され、かつ、外周面に長尺体が巻回可能に構成された軸芯部材に対して、取り付けられるデータキャリアであって、
基材シートと、
当該基材シートの一方の面に積層された接着剤層と、
前記基材シート及び接着剤層の少なくともいずれか一方に支持されるとともに、所定の情報を記録及び読み出しの少なくともいずれか一方が可能なデータキャリア本体とを備え、
前記基材シートは、前記軸芯部材の両端縁の各端面の外縁の一部に沿う被着体類似縁と、前記軸芯部材に嵌挿される支持軸が挿通可能な逃げ縁と、前記軸芯部材の端面における内縁の一部に沿う第１の切断許容部とを有していることを特徴とするデータキャリア。
【請求項３】
軸方向の両端縁が開口した筒状に形成され、かつ、外周面に長尺体が巻回可能に構成された軸芯部材に対して、取り付けられるデータキャリアであって、
基材シートと、
当該基材シートの一方の面に積層された接着剤層と、
前記基材シート及び接着剤層の少なくともいずれか一方に支持されるとともに、所定の情報を記録及び読み出しの少なくともいずれか一方が可能なデータキャリア本体とを備え、
前記基材シートは、前記軸芯部材の両端縁の各端面の外縁の一部に沿う被着体類似縁と、前記軸芯部材に嵌挿される支持軸が挿通可能な逃げ縁と、前記逃げ縁から前記被着体類似縁方向に延びる第２の切断許容部とを有していることを特徴とするデータキャリア。
【請求項４】
請求項１から請求項３までのいずれか一項に記載のデータキャリアが取り付けられたことを特徴とする長尺体の軸芯部材。
【発明の詳細な説明】
【技術分野】
【０００１】
本発明は、軸芯部材に取り付けられるデータキャリア及びこのデータキャリアが取り付けられた長尺体の軸芯部材に関する。
【背景技術】
【０００２】
従来、長尺体である孔版原紙がロール状に巻かれる芯管に、所定の情報を記憶する記憶手段を設ける構成が知られている（例えば、特許文献１参照）。
この特許文献１に記載の構成では、芯管の一端部側の開口全域を塞ぐように壁部を設け、この壁部に記憶手段を設けている。
【先行技術文献】
【特許文献】
【０００３】
【特許文献１】特開２００４−２５５７０１号公報
【発明の概要】
【発明が解決しようとする課題】
【０００４】
しかしながら、特許文献１に記載の構成では、芯管の一方の開口全域を壁部が覆っているので、芯管に記録手段を取り付けた状態で、芯管を支持軸で支持しようとすると、支持軸の先端を壁部から突出させることができない。このため、芯管の軸方向の移動を規制するガイド板等の規制手段を支持軸の先端に取り付けることができない不都合がある。したがって、従来の構成では、芯管の軸方向の移動を規制して支持するためには、特別な構成が必要となり、装置構造が複雑となる等の不都合を生じるおそれがある。
【０００５】
本発明の目的は、長尺体が巻回される軸芯部材の開口全域を塞ぐことなく、記録および読み出しの少なくともいずれか一方が可能なデータキャリア本体を取り付けることができるデータキャリア、及び、このデータキャリアが取り付けられた長尺体の軸芯部材を提供することにある。
【課題を解決するための手段】
【０００６】
前記目的を達成するために、本発明のデータキャリアは、軸方向の両端縁が開口した筒状に形成され、かつ、外周面に長尺体が巻回可能に構成された軸芯部材に対して、取り付けられるデータキャリアであって、基材シートと、当該基材シートの一方の面に積層された接着剤層と、前記基材シート及び接着剤層の少なくともいずれか一方に支持されるとともに、所定の情報を記録及び読み出しの少なくともいずれか一方が可能なデータキャリア本体とを備え、前記基材シートは、前記軸芯部材の両端縁の各端面の外縁の一部に沿うとともに、一端と他端とを有する被着体類似縁と、前記被着体類似縁の一端と他端とを繋ぐとともに、前記軸芯部材に嵌挿される支持軸が挿通可能な逃げ縁とを有している、という構成を採用している。
【０００７】
また、本発明のデータキャリアは、軸方向の両端縁が開口した筒状に形成され、かつ、外周面に長尺体が巻回可能に構成された軸芯部材に対して、取り付けられるデータキャリアであって、基材シートと、当該基材シートの一方の面に積層された接着剤層と、前記基材シート及び接着剤層の少なくともいずれか一方に支持されるとともに、所定の情報を記録及び読み出しの少なくともいずれか一方が可能なデータキャリア本体とを備え、前記基材シートは、前記軸芯部材の両端縁の各端面の外縁の一部に沿う被着体類似縁と、前記軸芯部材に嵌挿される支持軸が挿通可能な逃げ縁と、前記軸芯部材の端面における内縁の一部に沿う第１の切断許容部とを有していることを特徴とする。
さらに、本発明のデータキャリアでは、前記接着剤層は、前記被着体類似縁と前記第１の切断許容部との間にのみ設けられている、ことが好ましい。
また、本発明のデータキャリアでは、前記第１の切断許容部は、不連続に設けられ、前記基材シートは、前記第１の切断許容部間に、前記第１の切断許容部に対して前記被着体類似縁側と前記逃げ縁側とを連結する連結部を有している、ことが好ましい。
さらに、本発明のデータキャリアは、軸方向の両端縁が開口した筒状に形成され、かつ、外周面に長尺体が巻回可能に構成された軸芯部材に対して、取り付けられるデータキャリアであって、基材シートと、当該基材シートの一方の面に積層された接着剤層と、前記基材シート及び接着剤層の少なくともいずれか一方に支持されるとともに、所定の情報を記録及び読み出しの少なくともいずれか一方が可能なデータキャリア本体とを備え、記基材シートは、前記軸芯部材の両端縁の各端面の外縁の一部に沿う被着体類似縁と、前記軸芯部材に嵌挿される支持軸が挿通可能な逃げ縁と、前記逃げ縁から前記被着体類似縁方向に延びる第２の切断許容部とを有していることを特徴とする。
そして、本発明のデータキャリアでは、前記データキャリア本体は、前記切断許容部を跨いで配置されている、ことが好ましい。
また、本発明のデータキャリアでは、前記基材シートは、前記逃げ縁に切込を有している、ことが好ましい。
【０００８】
一方、本発明の長尺体の軸芯部材は、本発明のデータキャリアが取り付けられた、という構成を採用している。
【発明の効果】
【０００９】
以上のような本発明によれば、データキャリア本体を支持する基材シートは、軸芯部材の外縁の一部に沿った被着体類似縁と、軸芯部材に嵌挿される支持軸を挿通可能な逃げ縁とを有しているので、軸芯部材の開口全域を塞ぐことなく軸芯部材に取り付けられる。このため、逃げ縁を避けて挿通された支持軸に、例えば、軸芯部材の移動を規制する部材などを取り付けることができ、長尺体の繰り出しや巻取を安定して行うことができる。
【００１０】
この際、基材シートの逃げ縁を、被着体類似縁の両端部を直線状に繋ぐ縁に形成することで、データキャリア本体を支持する領域を確実に保つことのできる簡単な形状に形成でき、データキャリアを容易に製造できる。
また、基材シートに軸芯部材の内縁に沿う第１の切断許容部を設けることで、基材シートを軸芯部材の内縁に沿って切断可能にできる。このため、例えば、軸芯部材の両端にデータキャリアを取り付けておき、軸芯部材のいずれの向きからでも支持軸を挿入可能にした場合、いずれか一方のデータキャリアを第１の切断許容部から容易に切断できる。
さらに、接着剤層を被着体類似縁と第１の切断許容部との間にのみ設けることで、第１の切断許容部にて切断された基材シートが他の部位や部材に接着するという不都合を防止できる。
また、不連続に設けられた第１の切断許容部間に連結部を設けることで、第１の切断許容部が切断されても、データキャリア部分が軸芯部材から完全に切り落とされることを防止でき、切り落とされたデータキャリア部分が長尺体とともに繰り出されたり、周囲に散乱したりするなどの不都合を防止できる。
そして、基材シートに逃げ縁から被着体類似縁に延びる第２の切断許容部を設けることで、基材シートが横断方向に容易に切断できる。
また、データキャリア本体を第１の切断許容部および第２の切断許容部のうちの少なくとも一方を跨いで配置することで、第１の切断許容部や第２の切断許容部の切断時に、データキャリア本体が破壊されて機能しないようにすることができる。このため、軸芯部材の両端部にデータキャリアを配置しても、支持軸が挿入される側のデータキャリアが支持軸により確実に破壊されるため、軸芯部材の両端から情報が誤って記録されたり読み出されたりして、記録情報の混信が生じるなどの不都合を防止できる。
さらに、基材シートの逃げ縁に切込を設けることで、基材シートを切込から容易に切断することができる。
【図面の簡単な説明】
【００１１】
【図１】本発明に係るデータキャリア及び軸芯部材の一実施形態を適用した貼付装置の一例を示す側面図。
【図２】図１の貼付装置における支持装置の部分断面図。
【図３】（Ａ）は、本実施形態のデータキャリアの正面図、（Ｂ），（Ｃ），（Ｄ）は、本発明に係るデータキャリアのそれぞれ異なる変形例を示す正面図。
【図４】（Ａ）は、本実施形態のデータキャリアの断面図、（Ｂ），（Ｃ）は、本発明に係るデータキャリアのそれぞれ異なる変形例を示す断面図。
【図５】本発明に係るデータキャリアの他の変形例を示す正面図。
【図６】本発明に係るデータキャリアのさらに他の変形例を示す正面図。
【発明を実施するための形態】
【００１２】
以下、本発明に係るデータキャリア及び軸芯部材の一実施形態を適用した貼付装置の一例を図面に基づいて説明する。
なお、各図においては、本発明の内容を理解しやすくするために各構成の形状や配置状態を誇張して示している。また、本実施形態において基準となる図を挙げることなく、例えば、上、下、左、右、または、手前、奥といった方向を示した場合は、全て図１を基準としている。
【００１３】
（貼付装置の構成）
図１において、貼付装置１は、板状部材としての半導体ウェハ（以下「ウェハ」と称す場合がある）ＷＦに接着シートＡＳを貼付するものである。ここで、接着シートＡＳは、基材シートＢＳの一方の面に接着剤層ＡＤが積層されて構成されている。接着シートＡＳの接着剤層ＡＤには、剥離シートＲＬが仮着され、これらの接着シートＡＳと剥離シートＲＬとによって長尺体としての原反ＲＳが構成され、この原反ＲＳが、中空円筒状の軸芯部材２４の外周に巻回されて予め準備されている。
貼付装置１は、原反ＲＳが巻回された軸芯部材２４を支持するとともに、軸芯部材２４から接着シートＡＳを繰出可能にする支持装置２と、接着シートＡＳを繰り出す繰出手段３と、繰り出された接着シートＡＳをウェハＷＦに押圧して貼付する押圧手段４と、ウェハＷＦと押圧手段４とを相対移動させる移動手段５と、を備えている。この貼付装置１は、パーソナルコンピュータやシーケンサ等の制御手段６によって、その全体的な動作が制御されるように構成されている。
【００１４】
支持装置２は、フレーム２１と、このフレーム２１の一面に設けられた支持部２２とを備えている。支持部２２は、図２に示すように、支持軸２２１を備え、この支持軸２２１を軸芯部材２４の中空部の一端側（図２中左端側）から挿入することで、軸芯部材２４を支持する。
繰出手段３は、その全体がフレーム２１に支持され、原反ＲＳを案内する第１，第２のガイドローラ３２，３３と、原反ＲＳの剥離シートＲＬを折り返すことで当該剥離シートＲＬから接着シートＡＳを剥離する剥離板３４と、駆動機器としての回動モータ３５によって駆動する駆動ローラ３６と、駆動ローラ３６との間に剥離シートＲＬを挟み込むピンチローラ３７と、駆動機器としての回動モータ３９によって剥離シートＲＬを回収する回収ローラ３８とを備えている。
押圧手段４は、ゴムや樹脂等の弾性変形可能な部材で構成され、図示しない支持部材により回転自在に支持され、図示しない駆動機器としての直動モータにより昇降可能に設けられている。
移動手段５は、ウェハＷＦが載置され、減圧ポンプや真空エジェクタ等の図示しない吸着保持手段によって当該ウェハＷＦを吸着保持可能なテーブル５１と、テーブル５１の下面にスライダ５２が固定された駆動機器としての単軸ロボット５３とを備え、スライダ５２をスライド駆動することで、テーブル５１を左右方向に移動可能に構成されている。
【００１５】
（支持装置の構成）
次に、支持装置２について詳細に説明する。
図２に示すように、支持軸２２１は、軸方向の基端側（図２中左側）がフレーム２１を貫通し、当該フレーム２１の図２中左側の面に設けられた回転軸受ＢＣにより回転可能に支持されている。
【００１６】
支持軸２２１は、軸芯部材２４の内周に挿通可能で、軸芯部材の内径よりやや小さい径寸法に設けられた円柱状の大径部２２１Ａと、この大径部２２１Ａの軸方向の先端側（図２右側）に設けられ先端側に向かって次第に小径となるテーパー部２２１Ｂと、このテーパー部２２１Ｂの先端に大径部２２１Ａより小径に設けられた小径部２２１Ｃとを備えている。
支持軸２２１には、当該支持軸２２１に嵌挿された軸芯部材２４の軸方向への移動を規制するとともに、原反ＲＳの巻き崩れを防止する規制手段２５が設けられている。この規制手段２５は、支持軸２２１の大径部２２１Ａの基端側に鍔状に設けられ、軸芯部材２４の図２中左方向への移動を規制する内ガイド板２５１と、支持軸２２１の小径部２２１Ｃにボス２５３を介してその移動が規制される外ガイド板２５２とを備えている。
ボス２５３は、外ガイド板２５２を支持するとともに、小径部２２１Ｃにわずかな隙間をもって嵌合される貫通孔２５３Ａと、このボス２５３にねじ込み可能に設けられ、当該ボス２５３を小径部２２１Ｃに固定するねじ部２５３Ｂを有するクランプレバー２５３Ｃとを備えている。
【００１７】
外ガイド板２５２の外面（図２中右側の面）には、ボス２５３の外周側に位置し、導電体をループ状に巻回して形成された環状のループアンテナ（以下「母アンテナ」という）２６が設けられている。
【００１８】
軸芯部材２４は、原反ＲＳを巻回可能な両端開放型、すなわち、軸方向の両端縁が開口した筒状に形成され、この軸芯部材２４の軸方向の両端面２４Ａには、データキャリア２７がそれぞれ取り付けられている。
データキャリア２７は、図３（Ａ）および図４（Ａ）に示すように、樹脂、紙などからなる基材シート２７１と、当該基材シート２７１の一方の面に積層された接着剤層２７２と、チップＣＰおよび当該チップＣＰ用のアンテナ（以下「子アンテナ」という）ＡＴを有し基材シート２７１の他方の面に設けられたデータキャリア本体２７３と、を備えている。
【００１９】
基材シート２７１は、軸芯部材２４の端面２４Ａの外縁の一部に沿う被着体類似縁２７１Ａと、軸芯部材２４に嵌挿される支持軸２２１の小径部２２１Ｃが干渉することなく避けて挿通可能な逃げ縁２７１Ｂとを有した略Ｄ形状とされている。
逃げ縁２７１Ｂは、被着体類似縁の両端部を、例えば、直線状に繋ぐ縁に形成されている。
【００２０】
データキャリア本体２７３は、電磁波を通信媒体としてデータを読み取って記憶したり、データを送信したりすることができるものである。このようなデータキャリア本体２７３としては、例えば、ＩＣチップ（チップＣＰ）と、このＩＣチップに接続された送受信用の導電性コイル（子アンテナＡＴ）とから構成される、いわゆるＲＦメモリやＲＦＩＤタグ等を例示することができる。
データキャリア２７は、接着剤層２７２により軸芯部材２４の端面２４Ａに取り付けられ、図２に示すように、軸芯部材２４を支持軸２２１に軸支した状態で、子アンテナＡＴと母アンテナ２６とが対向した配置関係となるように設けられている。
【００２１】
また、母アンテナ２６には、リーダライタ７が接続され、このリーダライタ７は、制御手段６による制御に基づき、データキャリア本体２７３に記憶されたデータを読み取ったり、データキャリア本体２７３にデータを書き込んだりすることができる。
なお、データキャリア本体２７３と母アンテナ２６とで通信するデータとしては、接着シートＡＳの種類、材質、品名、コード、厚さ、長さ、幅、直径などの規格寸法、さらには、原反ＲＳのロットナンバー、原反ＲＳを使用した長さ、原反ＲＳの残りの長さ、接着シートＡＳの品質保証期限、繰出開始前後の接着シートＡＳの残数、繰り出された接着シートＡＳの枚数、接着シートＡＳを最適に繰り出すことのできる推奨繰出速度、接着シートＡＳを最適に貼付することができる推奨貼付張力や推奨押圧力などの接着シートＡＳの貼付条件、接着シートＡＳや原反ＲＳについての相談窓口の連絡先などが例示できる。要するに、通信するデータとしては、軸芯部材２４に巻回される長尺体である原反ＲＳや貼付装置１の運転制御に関する各種管理データである。
そして、貼付装置１に設けられた図示しないモニタにデータキャリア本体２７３から読み取ったデータを表示させたり、読み取ったデータを基に当該貼付装置１の貼付条件を設定したりすることができる。
【００２２】
（接着シートの貼付動作）
以上の貼付装置１において、ウェハＷＦに接着シートＡＳを貼付する際には、まず、軸芯部材２４に巻回された原反ＲＳを支持軸２２１に支持させる。このとき、データキャリア２７のうち、内ガイド板２５１に対向する側のデータキャリア２７Ａは、支持軸２２１のテーパー部２２１Ｂに当接し、当該支持軸２２１の嵌挿に伴って破断される。一方、外ガイド板２５２に対向する側のデータキャリア２７Ｂは、図２に示すように、支持軸２２１の小径部２２１Ｃが逃げ縁２７１Ｂと軸芯部材２４の内縁との間の開口に挿通されるため、破断されることはない。次に、支持軸２２１の小径部２２１Ｃにボス２５３が差し込まれ、クランプレバー２５３Ｃの締め付けにより固定されると、図２に示すように、データキャリア２７Ｂが母アンテナ２６と対向する状態となる。
そして、移動手段５が単軸ロボット５３を駆動してテーブル５１を左方向に搬送させ、ウェハＷＦが所定の位置に達したことを図示しない光センサ等の検知手段が検知した時点で、繰出手段３が回動モータ３５、３９を駆動して接着シートＡＳを繰り出し、押圧手段４が当該接着シートＡＳを搬送されるウェハＷＦに押圧して貼付する。
【００２３】
ここで、制御手段６は、貼付開始前にリーダライタ７を制御し、母アンテナ２６に電流を流すことで、磁束、静電気、マイクロ波等の伝送手段を発生させ、子アンテナＡＴを介して起電力を発生させてデータキャリア本体２７３のチップＣＰに書き込まれたデータを読み取り、当該読み取ったデータに基づいて、貼付装置１全体を制御する。この制御は、例えば、データキャリア本体２７３に書き込まれたデータのうち、接着シートＡＳの推奨繰出速度を基にして、回動モータ３５，３９の回転速度や、単軸ロボット５３でテーブル５１を移動させる移動速度を決定したり、推奨押圧力を基にして、押圧手段４を昇降させる図示しない直動モータの昇降量やその出力軸に加えるトルクなどを決定し、押圧力を設定したりすることができる。また、運転開始時の原反ＲＳの巻取量から原反ＲＳの使用量を差し引いて、原反残量を管理し、原反ＲＳの交換時期などを表示することもできる。
このとき、母アンテナ２６とデータキャリア本体２７３の子アンテナＡＴとが対向していることで、母アンテナ２６で発生する伝送手段の通過位置に子アンテナＡＴを常時存在させることができるため、リーダライタ７は、母アンテナ２６を介して子アンテナＡＴに効率よく起電力を発生させ、チップＣＰに書き込まれたデータを確実に読み取ることができる。
【００２４】
また、制御手段６は、貼付開始後の軸芯部材２４の回転中に、リーダライタ７を制御して起電力を発生させ、データキャリア本体２７３にデータを書き込む。このように軸芯部材２４が回転している場合であっても、子アンテナＡＴが母アンテナ２６の伝送手段の通過位置に常時存在することとなり、リーダライタ７は、母アンテナ２６を介して子アンテナＡＴに効率よく起電力を発生させ、チップＣＰにデータを確実に書き込むことができる。このときに書き込むデータとしては、例えば、接着シートＡＳを使用した枚数や、原反ＲＳを使用した長さ等を例示できる。
そして、所定枚数のウェハＷＦに接着シートＡＳを貼付し終わると、リーダライタ７を制御してデータキャリア本体２７３にデータを書き込み、記憶させる。このときに書き込むデータとしては、例えば、繰出開始前の接着シートＡＳの残数から使用した接着シートＡＳの枚数を差し引いた繰出開始後の接着シートＡＳの残数や、原反ＲＳの残りの長さ等を例示できる。なお、使用した接着シートＡＳの数は、回動モータ３５の起動回数や、ウェハＷＦが所定の位置に達したことを検知する図示しない検知手段が検知した回数等によって算出することができ、原反ＲＳを使用した長さは、回動モータ３５の回転数やパルス等によって算出することができる。このように、例えば、１の原反ＲＳにおける接着シートＡＳを全て使用してしまう前に、他の原反ＲＳに型換えをする場合、１の原反ＲＳのデータキャリア本体２７３にデータを書き込んでおくことによって、当該１の原反ＲＳを再度使用するときに、上述と同様にしてデータを読み取ることで、即対応することができる。また、データキャリア本体２７３に記憶させた接着シートＡＳの残数を、図示しない外部コンピュータに送信することで、原反ＲＳの在庫を管理することもできる。
【００２５】
（実施形態の作用効果）
以上のような本実施形態では、データキャリア２７が軸芯部材２４の開口全域を塞ぐことなく取り付けられているため、軸芯部材２４に巻回された原反ＲＳを支持軸２２１に支持させるときに、外ガイド板２５２側のデータキャリア２７Ｂは、破断されることなく、支持軸２２１の小径部２２１Ｃに規制手段２５を取り付けることができる。
【００２６】
また、軸芯部材２４の軸方向の両端面２４Ａには、それぞれデータキャリア２７が貼付されているので、軸芯部材２４を支持軸２２１に取り付けるにあたり、軸芯部材２４の挿入方向を選ぶ必要がなく、いずれの方向からでも嵌挿できる。しかも、軸芯部材２４を支持軸２２１に嵌挿する時、内ガイド板２５１側のデータキャリア２７Ａを破壊できるので、当該データキャリア２７Ａの面が母アンテナ２６の面と対向することはなく、母アンテナ２６が２つのデータキャリア２７Ａ，２７Ｂと通信（混信）することはない。
【００２７】
（変形例）
以上のように、本発明を実施するための最良の構成、方法等は、前記記載で開示されているが、本発明は、これに限定されるものではない。
すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。また、前記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【００２８】
例えば、本発明における基材シート２７１へのデータキャリア本体２７３の支持方法としては、図４（Ｂ）に示すように、基材シート２７１と接着剤層２７２との間にデータキャリア本体２７３を設けたり、図４（Ｃ）に示すように、接着剤層２７２の表面に設けたりしてもよい。すなわち、データキャリア本体２７３は、基材シート２７１及び接着剤層２７２の少なくともいずれか一方に支持されていればよい。
【００２９】
また、データキャリア２７には、図３（Ｂ）に示すように、軸芯部材２４の端面２４Ａにおける内縁に沿う第１の切断許容部２７４を設けてもよい。第１の切断許容部２７４は、例えば、ミシン目状あるいは肉薄状に形成され、基材シート２７１の切断を促すものであり、軸芯部材２４に支持軸２２１を嵌挿する際、内ガイド板２５１に対向する側のデータキャリア２７が、支持軸２２１のテーパー部２２１Ｂによって容易に破断されるようになっている。
また、データキャリア本体２７３は、基材シート２７１の材質と異なるであろうことから、第１の切断許容部２７４を設けておくことにより、当該データキャリア本体２７３を容易に分別回収することができる。なお、使用しない方のデータキャリア２７は、軸芯部材２４を支持軸２２１に軸支させる際に、作業者が予め第１の切断許容部２７４から切断してもよい。
【００３０】
さらに、図３（Ｂ）に示すように、基材シート２７１の逃げ縁２７１Ｂに、切込２７５を設けてもよい。なお、切込２７５は、第１の切断許容部２７４の端部に連なって形成された切込２７５Ａや、第１の切断許容部２７４に連ならない切込２７５Ｂとしてもよい。
切込２７５Ａを設けることで、第１の切断許容部２７４からの切断を容易に開始させることができるため、基材シート２７１、延いては、データキャリア２７の切断がより容易になる。また、切込２７５Ｂでも、図３（Ｂ）に示すように深く切り込んだ形状とすることで、基材シート２７１を容易に破断できる。
【００３１】
本発明の接着剤層２７２は、例えば、図３（Ｃ）の網線で示す領域すなわち、被着体類似縁２７１Ａと第１の切断許容部２７４との間にのみに設け、第１の切断許容部２７４と逃げ縁２７１Ｂとで囲まれた部分は不接着領域としてもよい。
さらに、接着剤層２７２は、図３（Ｃ）に示すような帯状に形成する場合に限らず、接着剤の使用量の低減を目的としてドット状やストライプ状に設けるなどしてもよい。
【００３２】
また、基材シート２７１には、図３（Ｄ）に示すように、逃げ縁２７１Ｂから被着体類似縁２７１Ａに向けた方向に延びる第２の切断許容部２７６を設けてもよい。第２の切断許容部２７６は、同図に示すように、逃げ縁２７１Ｂの中央から放射状に設ける場合に限らず、逃げ縁２７１Ｂのいずれの位置から設けてもよい。この場合、切込２７５は、第２の切断許容部２７６に連なって設けてもよい。
第２の切断許容部２７６は、第１の切断許容部２７４に連なって設けたが、連ならずに設けたり、第１の切断許容部２７４を設けずに第２の切断許容部２７６のみ設けたりしてもよい。要するに、第１、第２の切断許容部２７４,２７６や切込２７５は、必要に応じて設けてもよく、設けなくてもよく、任意である。
さらに、第１の切断許容部２７４としては、図３（Ｄ）に示すように、不連続に設け、連続しない第１の切断許容部２７４間に、被着体類似縁２７１Ａ側と逃げ縁２７１Ｂ側とを連結した状態の連結部２７７を設けてもよい。これにより、第１、第２の切断許容部２７４,２７６で切断されたデータキャリア２７部分が周囲に散乱することを防止できる。
【００３３】
また、図５に示すように、データキャリア本体２７３を、第１の切断許容部２７４および第２の切断許容部２７６のうちの少なくとも一方に跨って設け、第１、第２の切断許容部２７４，２７６の切断により子アンテナＡＴを破壊し、機能しなくなるようにしてもよい。そして、子アンテナＡＴの形状は、同図中、二点鎖線で示すように、円形、楕円形、多角形など、適宜な形状に形成することができる。
【００３４】
さらに、データキャリア２７は、例えば図６に示すような１／２の円環状や、１／３の円環状、３／４の円環状等としてもよい。すなわち、逃げ縁２７１Ｂは、被着体類似縁２７１Ａの両端に径方向に連続した直線状の直線状縁２７１Ｂ１と、これらの両端の直線状縁２７１Ｂ１の中間に、小径部２２１Ｃの外周に対応してそれより大きく切り欠いた切り欠き縁２７１Ｂ２とを設けた形状とするなどしてもよい。なお、切り欠き縁２７１Ｂ２は、円弧状に限らず多角形、楕円形、その他の形状としてもよい。
また、被着体類似縁２７１Ａを一連の円弧状に形成したが、例えば被着体類似縁２７１Ａの一部を直線状など他の形状に形成してもよく、被着体類似縁２７１Ａは軸芯部材２４の外形に合わせて多角形状にするなど、円弧を含まない形状でもよい。
要するに、本発明において、被着体類似縁２７１Ａは、軸芯部材２４の両端縁の各端面２４Ａの外縁の一部に沿う形状をしていればよく、例えば、軸芯部材が中空角筒状であった場合、被着体類似縁の形状は、複数の直線からなる形状とすることができる。また、逃げ縁２７１Ｂは、支持軸２２１の先端小径部２２１Ｃと干渉しない逃げた形状に形成されていればよい。
【００３５】
支持軸２２１としては、フレーム２１に対して回転不可能に設けて軸芯部材２４を回転可能に支持する構成としてもよい。また、支持軸２２１は、テーパー部２２１Ｂを設けず、大径部２２１Ａの軸線方向に直行する面に小径部２２１Ｃを正面視９０度の段付で突設した形状とするなど、軸芯部材２４を軸支可能であれば、通常の機械設計で用いられる適宜な構成を適用できる。また、支持軸２２１に軸支される軸芯部材２４を円筒状に形成したが、例えば多角筒状など、円筒状に限られない。
また、支持軸２２１に取り付けられる規制手段２５についても、軸芯部材２４が支持軸２２１の軸線方向への移動を規制可能な構成であれば、他の構成でもよい。
さらに、母アンテナ２６は、外ガイド板２５２に設けて説明したが、例えば外ガイド板２５２とボス２５３との間に設けるなどしてもよい。また、母アンテナ２６を円環状に設けたが、例えば四角環状に設けるなどしてもよく、母アンテナ２６は、ループアンテナに限定されることもなく、データキャリア２７と通信ができればよい。
【００３６】
データキャリア本体２７３は、データの記憶のみができるものであってもよいし、データの送信のみができるものであってもよい。さらに、データキャリア本体２７３は、ＩＣタグやＩＣカード、ＲＦメモリ、ＲＦＩＤタグ等などに限らず、いわゆるＱＲコード（登録商標）であるマトリックス型二次元コード、いわゆるバーコードである一次元コードなど、データを記録したものや、磁気シートなどでもよい。要するに、データキャリア本体２７３は、所定の情報を記録及び読み出しの少なくともいずれか一方が可能な部材であればよい。データキャリア本体２７３がバーコードやＱＲコードの場合、母アンテナ２６の代わりにバーコードやＱＲコードを読み取り可能なリーダを使用すればよいし、磁気シートの場合、磁界を発生させて磁性体を磁化してデータを書き込んだり、磁界の変化を検知してデータを読み出したりするいわゆる磁気ヘッドを使用すればよい。なお、バーコードやＱＲコードのように記憶する情報量が少ないものの場合は、これらコードに上位のコンピュータ等の上位の制御手段にアクセスできるコードを記憶させておき、当該上位の制御手段から上記同様のデータを受信するようにしてもよい。
【００３７】
本発明において、基材シート２７１、軸芯部材２４等の材料は、使用上不都合がない機能を発揮できる材料であれば任意であり、長尺体も、上述の実施形態で述べた基材シートＢＳに接着剤層ＡＤが積層された原反ＲＳに限らず、帯状の接着シート、紙、布、鋼板、ベルト、樹脂、木板や、長尺の糸、紐、針金、コード、チューブ、ホース、チェーン等が例示でき、軸芯部材２４に巻回可能な帯状物や線状物であれば足りる。
また、本発明に係るデータキャリア２７及び軸芯部材２４が適用できる装置は、貼付装置１に限らず、長尺体の巻取装置や長尺体の繰出装置等、長尺体が巻回される軸芯部材を用いる装置であればよい。
【００３８】
そして、本発明における接着シートＡＳの種別や材質などは、特に限定されず、例えば、基材シートＢＳと接着剤層ＡＤとの間に中間層を有するものや、他の層を有するなど３層以上のものでもよい。また、接着シートＡＳは、保護シート、ダイシングテープ、ダイアタッチフィルムなどであってもよい。半導体ウェハＷＦは、シリコン半導体ウェハや化合物半導体ウェハ等が例示でき、このような半導体ウェハＷＦに貼付する接着シートＡＳは、保護シート、ダイシングテープ、ダイアタッチフィルムに限らず、その他の任意のシート、フィルム、テープ等、任意の用途、形状の接着シートＡＳ等が適用できる。さらに、板状部材が光ディスクの基板であって、接着シートＡＳが記録層を構成する樹脂層を有したものであってもよい。以上のように、板状部材としては、ガラス板、鋼板、樹脂板等や、その他の部材のみならず、任意の形態の部材や物品なども対象とすることができる。
また、押圧手段４は、前記実施形態で示したもの以外のもので構成してもよく、押圧手段４は板状部材に接着シートＡＳが貼付できる限りにおいて何ら限定されるものではなく、例えば、ブレード材、エア噴き付け、ゴム、樹脂、スポンジ等による押圧部材を採用することができる。
【００３９】
また、前記実施形態における駆動機器は、回動モータ、直動モータ、リニアモータ、単軸ロボット、多関節ロボット等の電動機器、エアシリンダ、油圧シリンダ、ロッドレスシリンダおよびロータリシリンダ等のアクチュエータ等を採用することができる上、それらを直接的又は間接的に組み合せたものを採用することもできる（実施形態で例示したものと重複するものもある）。
【符号の説明】
【００４０】
２４…軸芯部材
２４Ａ…端面
２７…データキャリア
２２１…支持軸
２７１…基材シート
２７１Ａ…被着体類似縁
２７１Ｂ…逃げ縁
２７２…接着剤層
２７３…データキャリア本体
２７４…第１の切断許容部
２７５…切込
２７６…第２の切断許容部
２７７…連結部
ＲＳ…原反（長尺体）
【図１】
0005775801.tif 000002
【図２】
0005775801.tif 000003
【図３】
0005775801.tif 000004
【図４】
0005775801.tif 000005
【図５】
0005775801.tif 000006
【図６】
0005775801.tif 000007